【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
第１および第２のアンテナに給電するよう構成された送信機であって、
バイナリデータに応じて複素数で表される変調シンボルを生成するトレリスコード変調符号器と、
前記トレリス符号器に応じ、前記生成された変調シンボルを否定および共役することによって伝送するために、前記変調シンボルを符号化するブロック符号器と、
を備え、前記第１および第２のアンテナは空間ダイバーシチを用いることを特徴とする送信機。
【請求項２】
請求項１に記載の送信機であって、前記複数のアンテナをさらに備えることを特徴とする送信機。
【請求項３】
請求項１に記載の送信機であって、前記トレリス符号器がマルチプルトレリス符号化変調符号器であることを特徴とする送信機。
【請求項４】
請求項１に記載の送信機であって、前記ブロック符号器がマルチブランチブロック符号器であることを特徴とする送信機。
【請求項５】
請求項１に記載の送信機であって、前記ブロック符号器が空間−時間ブロック符号器であることを特徴とする送信機。
【請求項６】
請求項１に記載の送信機であって、前記ブロック符号器が、前記トレリス符号器によって展開された連続するシンボルのシーケンスを符号化することを特徴とする送信機。
【請求項７】
受信機であって、
連続した時間間隔において、変調シンボルおよびその複素共役並びに変調シンボルおよびその負の複素共役を含む伝送信号を受信する受信ブロックコンバイナと、
前記受信ブロックコンバイナの出力信号に応じて、メトリックを構築し、および前記受信機において受信した伝送信号の推定値を出力するビタビ復号器と、
を備えることを特徴とする受信機。
【請求項８】
請求項７に記載の受信機であって、前記コンバイナが受信シンボルのフレームを組み合わせ、フレームはｎ個の時間スロットからなり、各時間スロットにおいて前記コンバイナにｍ個のシンボルを同時に与えることを特徴とする受信機。
【請求項９】
請求項８に記載の受信機であって、ｎ＝ｍであることを特徴とする受信機。
【請求項１０】
請求項９に記載の受信機であって、ｎ＝ｍ＝２であることを特徴とする受信機。
【請求項１１】
請求項８に記載の受信機であって、前記コンバイナが、送信機によって送信された信号の推定値を表すｎ個の信号を展開することを特徴とする受信機。
【請求項１２】
請求項７に記載の受信機であって、前記ビタビ復号器が送信されたシンボルの柔軟な決定について別個のメトリックを生成することを特徴とする受信機。
【請求項１３】
請求項７に記載の受信機であって、前記ビタビ復号器がマルチプルトレリス符号化変調復号器１であることを特徴とする受信機。
【請求項１４】
請求項１３に記載の受信機であって、前記ビタビ復号器が、メト
【数１】
2004007828.tif 000001
ナとの間のチャネル特性の推定値であることを特徴とする受信機。
【請求項１５】
請求項７に記載の受信機であって、前記ビタビ復号器がメトリッ
【数２】
2004007828.tif 000002
機の受信アンテナとの間のチャネル特性の推定値であることを特徴とする受信機。
【請求項１６】
請求項７に記載の受信機であって、前記ビタビ復号器がメトリッ
【数３】
2004007828.tif 000003
とする受信機。
【請求項１７】
請求項７に記載の受信機であって、
【数４】
2004007828.tif 000004
【数５】
2004007828.tif 000005
信アンテナとの間のチャネル特性の推定値であることを特徴とする受信機。
【請求項１８】
入力するデジタルデータを符号化して複素数で表される変調シンボルを生成する入力デジタルデータ符号器と、
空間ブロック符号器であって、前記入力デジタルデータ符号器に応答し、前記変調シンボルを符号化してブロックとするよう構成され、該ブロックは、前記変調シンボル、および複素共役と、負の複素共役とを有する群から選択された２つのさらなるシンボルを含み、および２つのアンテナの各々によって前記ブロックからの異なるシンボルが伝送されるように前記２つのアンテナに出力を行うように調整される空間ブロック符号器とを備え、
前記ブロックの変調シンボルは、ｓ０およびｓ１と定められて、第１の時間間隔で、第１のアンテナおよび第２のアンテナによってそれぞれ伝送され、並びに前記ブロックのさらなるシンボルは、−ｓ１＊およびｓ０＊と定められて、前記空間ブロック符号器によって生成され、および第２の時間間隔で、前記第１のアンテナと前記第２のアンテナとによってそれぞれ伝送され、ｓ１＊はシンボルｓ１の複素共役と定められることを特徴とする送信機。
【請求項１９】
請求項１８に記載の送信機であって、前記空間ブロック符号器は、マルチブランチの空間ブロック符号器であることを特徴とする送信機。
【請求項２０】
請求項１８に記載の送信機であって、前記空間ブロック符号器は、マルチブランチの空間−時間ブロック符号器であることを特徴とする送信機。
【請求項２１】
請求項１８に記載の送信機であって、前記空間ブロック符号器は、マルチブランチの空間周波数ブロック符号器であることを特徴とする送信機。
【請求項２２】
請求項１８に記載の送信機であって、前記変調シンボルの組は、実および虚の軸上に集合を形成することを特徴とする送信機。
【請求項２３】
デジタルデータ信号を符号化して複素数で表される変調シンボルを生成する第１の符号器と、
前記変調シンボルの隣接する組を出力して、２つの空間ダイバーシチアンテナにより伝送する空間ブロック符号器と
を備え、第１の変調シンボルの組は第１のアンテナに送信され、第２の変調シンボルの組は第２のアンテナに送信され、それらの複素共役および負の複素共役は続く時間間隔において第２のアンテナに送信されることを特徴とする送信機。
【請求項２４】
請求項２３に記載の送信機であって、前記変調シンボルの組は、実および虚の軸上に集合を形成することを特徴とする送信機。
【請求項２５】
請求項２３に記載の送信機であって、前記第１の符号器はトレリスコード変調符号器であり、前記空間ブロック符号器は２ブランチの空間ブロック符号器であることを特徴とする送信機。
【請求項２６】
伝送信号であって、その複素共役および負の複素共役が最初に伝送される信号の列について遅延させて伝送される伝送信号のための複素乗数の推定値を受け取って、復号器に適用するよう信号を形成するコンバイナと、
メトリックを構築して、前記最初に伝送される信号の列の推定値を出力する復号器と
を備えることを特徴とする受信機。
【請求項２７】
請求項２６に記載の受信機であって、伝送チャネルの推定を行うチャネル推定器をさらに備えたことを特徴とする受信機。
【請求項２８】
請求項２６に記載の受信機であって、前記メトリックは、送信器における符号化処理により定められることを特徴とする受信機。
【請求項２９】
請求項２６に記載の受信機であって、前記コンバイナは２ブランチの空間ブロックコンバイナであり、前記復号器はビタビ復号器であることを特徴とする受信機。
【請求項３０】
請求項２６に記載の受信機であって、前記復号器が、メト
【数６】
2004007828.tif 000006
ナとの間のチャネル特性の推定値であることを特徴とする受信機。
【請求項３１】
請求項２６に記載の受信機であって、前記復号器がメトリッ
【数７】
2004007828.tif 000007
機の受信アンテナとの間のチャネル特性の推定値であることを特徴とする受信機。
【請求項３２】
請求項２６に記載の受信機であって、前記復号器がメトリッ
【数８】
2004007828.tif 000008
とする受信機。
【請求項３３】
入力するデジタルデータを符号化して複素数で表される変調シンボルを生成するステップと、
前記変調シンボルを符号化してブロックとするステップであって、該ブロックは、前記変調シンボル、および複素共役と、負の複素共役とを有する群から選択された２つのさらなるシンボルを含むステップと、
２つのアンテナの各々によって前記ブロックからの異なるシンボルが伝送されるように前記２つのアンテナに出力を行うステップと、
ｓ０およびｓ１と定められて、第１の時間間隔で、第１のアンテナおよび第２のアンテナによってそれぞれ前記ブロックの変調シンボルを伝送するステップであって、前記ブロックのさらなるシンボルは、−ｓ１＊およびｓ０＊と定められて、前記空間ブロック符号器によって生成され、および第２の時間間隔で、前記第１のアンテナと前記第２のアンテナとによってそれぞれ伝送され、ｓ１＊はシンボルｓ１の複素共役と定められるステップと
を備えたことを特徴とするデータを送信する方法。
【請求項３４】
請求項３３に記載の方法であって、前記変調シンボルの組は、実および虚の軸上に集合を形成することを特徴とする方法。
【請求項３５】
デジタルデータ信号を符号化して複素数で表される変調シンボルを生成するステップと、
前記変調シンボルの隣接する組を出力して、２つの空間ダイバーシチアンテナにより伝送するステップであって、第１の変調シンボルの組を第１のアンテナに送信し、第２の変調シンボルの組を第２のアンテナに送信し、それらの複素共役および負の複素共役を続く時間間隔において第２のアンテナに送信するステップと
を備えたことを特徴とするデータを送信する方法。
【請求項３６】
請求項３５に記載の方法であって、前記変調シンボルの組は、実および虚の軸上に集合を形成することを特徴とする方法。
【請求項３７】
受信機において受信した伝送信号のための複素乗数の推定値を受け取るステップと、
前記受け取った複素乗数の推定値に応じて、復号器に適用するよう信号を組み合わせるステップであって、前記伝送信号の複素共役および負の複素共役が最初に伝送される信号の列について遅延させて伝送されるステップと、
メトリックを展開して、前記最初に伝送される信号の列の推定値を出力するステップと
を備えることを特徴とするデータを受信する方法。
【請求項３８】
請求項３７に記載の方法であって、ノイズ中に伝送チャネルの推定を行うステップをさらに備えたことを特徴とする方法。
【請求項３９】
請求項３７に記載の方法であって、前記メトリックは、送信器における符号化処理により定められることを特徴とする方法。
【請求項４０】
請求項３７に記載の方法であって、前記展開されたメト
【数９】
2004007828.tif 000009
ナとの間のチャネル特性の推定値であることを特徴とする方法。
【請求項４１】
請求項３７に記載の方法であって、前記展開されたメトリッ
【数１０】
2004007828.tif 000010
機の受信アンテナとの間のチャネル特性の推定値であることを特徴とする方法。
【請求項４２】
請求項３７に記載の受信機であって、前記展開されたメトリッ
【数１１】
2004007828.tif 000011
とする方法。